(57)【要約】【課題】全体的なハウジングの大きさ及び１回のポンピン量を最小にし、かつ、液体の流れを円滑にしてポンピンしやすくする予圧式ディスペンサーの提供。【解決手段】一次圧縮によりハウジング内部空間の液体を予圧し、二次圧縮により加圧された液体を吐き出すディスペンサーであって、本体を容器の出口に密封された状態に締結するキャブ、内部の下端に流入突起部が一体に形成されているハウジング、内部に垂直貫通路が形成されており、該貫通路の下端入り口に下記開閉部材のロッド上端が密着されるように形成されているピストン部材、貫通路の下端入り口に密着される円錐型ロッドを上部に形成し、シリンダーが一体に下部に形成され、ハウジングに接する側面に数多くの誘導リブが形成されている開閉部材、及び開閉部材に上昇復元力を提供するスプリングを含めて構成されることを特徴とする予圧式ディスペンサー。【選択図】　　　図１
2004052741.tif 000002
【特許請求の範囲】
【請求項１】
一次圧縮によりハウジング内部空間の液体を予圧し、二次圧縮により加圧された液体を吐き出すディスペンサーであって、
ディスペンサー本体を容器の出口に密封された状態に締結するキャブ；
上記キャブに締結され、液体の流れを誘導し、内部の下端に流入突起部が一体に形成されているハウジング；
上記ハウジングの内面に沿って上下往復運動をし、内部に垂直貫通路が形成されており、上記貫通路の下端入り口に下記開閉部材のロッド上端が密着されるように形成されているピストン部材；
上記貫通路の下端入り口に密着される円錐型ロッドが上部に形成されており、下降時に上記流入突起部の外面に沿って密着された状態で下降するシリンダーが一体に下部に形成されており、上記ハウジングに接する側面に数多くの誘導リブが形成されている開閉部材；及び、
上記ハウジングの内部下端部と上記誘導リブの間に備えられ、開閉部材に上昇復元力を提供するスプリング
を含めて構成されることを特徴とする予圧式ディスペンサー。
【請求項２】
上記ハウジングは、断面形状が円形であり、その内側面に沿って放射状に小さな軸状凹凸が形成されていることを特徴とする請求項１に記載の予圧式ディスペンサー。
【請求項３】
上記ピストン部材は、貫通路の直径を一定にし、貫通路の下端入り口が下向に直径が広がる２段構造もしくは緩やかな傾斜構造からなることを特徴とする請求項１に記載の予圧式ディスペンサー。
【請求項４】
上記開閉部材は、ポンピン時に流入突起部の外面に密着状態で下降できるようにシリンダーの下端内面に密封リップが形成されていることを特徴とする請求項１に記載の予圧式ディスペンサー。
【請求項５】
１回のポンピン量が３０ないし７０ｍｃｌである請求項１に記載の予圧式ディスペンサー。
【発明の詳細な説明】
【０００１】
【発明の属する技術分野】
本発明は、最小大きさの予圧式ディスペンサーに関するもので、より詳しくは、シリンダー部材に上向復元力を提供するスプリングをシリンダーの外側に備え、ポンピン過程においてハウジング内部下端の流入突起部が該シリンダー部材と密着された状態で動けるようにすることにより、全体的なポンプを極めて小さくし、よって、１回のポンピン量を従来のディスペンサーでは不可能であった少量噴出を可能にし、かつ予圧能力がより優れるディスペンサーに関するものである。
【０００２】
【従来の技術】
ディスペンサーとは、容器の入り口に備えられ、必要に応じてボタンを圧縮して、容器内に含まれた液体を噴射する手動式小型ポンプのことである。このようなディスペンサーは、化粧品、医薬品、嗜好品等の噴射に多く用いられており、様々な形態のものが開発されてきた。
その中でも、予圧式ディスペンサーとは、ボタンを圧縮してポンプ内に流入された液体をとりあえず圧縮し、次工程の圧縮においてボタンのノズルを通じて噴射させる裝置のことである。このような予圧式ディスペンサーも様々な構造が開発されてきたが、その中の代表的な構造としては、ディスペンサー本体を容器の出口に密封された状態に締結するキャブ；該キャブに締結され液体の流れを誘導し、内部下端に下部シリンダーが一体に形成されてあるハウジング；該ハウジングの内面に沿って上下往復運動をし、内部に垂直貫通路が形成されてあるピストン部材；上部のロッドが上記貫通路に挿入され、上記下部シリンダ−に対応する位置に、上部シリンダーが一体に形成されてある開閉部材等からなっているものがある。ここで、開閉部材に上向復元力を提供するためにスプリングが用いられている。スプリングは、開閉部材の上部シリンダーとハウジングの下部シリンダー間に備えられるが、より具体的には、上部シリンダーの内部と下部シリンダーの内部に挿入され、スプリングを備えやすくすると共にピストンの上下運動を案内するため、下部シリンダ−の内側にはスプリングに挿入される流入突起部が下部から形成されている。
【０００３】
上記構造の予圧式ディスペンサーの公知の作動原理は、下記のように要約することができる。
ボタンに圧縮力を印加していない状態では、開閉部材の上部シリンダーがハウジングの下部シリンダーから分離されており、開閉部材のロッドがピストン部材の貫通路を遮ることにより、貫通路は密閉されている。ところが、ボタンに圧縮力を印加すれば、ロッドにより貫通路が密閉された状態でピストン部材が下降し、上部シリンダーの下端部は、下部シリンダーの外面に密着された状態で下降されることにより、ハウジングの内部空間が密閉されながら加圧されるようになる。このような加圧過程を予圧工程という。開閉部材の引き続く下降により、内部空間の加圧力がスプリングの圧力を凌げる程度になれば、開閉部材の若干の下降により貫通路が開封され液体が吐き出される。ある程度の量が吐き出された後には、貫通路は、ロッドにより再び密閉されることによりポンピンが完了される。逆に、ボタンに印加された圧縮力を除去すれば、上部シリンダーの下端部が下部シリンダーの外面に密着された状態でスプリングの復元力により開閉部材が上昇し、ハウジング内部空間の圧力が低下するようになる。引き続く上昇により、上部シリンダーが下部シリンダーから離隔されれば、低下した圧力を補うために流入突起部を通じて液体がハウジング内部空間へ流入されるようになる。
【０００４】
一方、生活が豊かになるにつれて様々な製品が開発されており、製品の形状をよりきれいにするための手段として、容器の上部に備えられるディスペンサーの大きさをより小さくする努力がなされている。これに伴い、ポンピン作業がよりスムースに行われるディスペンサーに対する要求も高まっている。
ところが、従来のディスペンサーは、その構造的限界のため、さらに縮小することが不可能である。つまり、従来の構造を保持しながら経済的な規模で生産されるディスペンサーの最小ポンピン量は、約７５ｍｃｌ（０．０７５ｃｃ）程度である。つまり、７０ｍｃｌ以下のポンピン量のディスペンサーは制作されていない。同じ構造で、ただ各部品の大きさを縮小する場合には、大量生産のための組み立て工程に限界があり、それによる製造費用が大幅に上昇する問題点があり、かつ液体がスムースに流れずポンピンしにくくなる問題点もある。
【０００５】
【発明が解決しようとする課題】
本発明は、上記の従来技術の問題点及び引き続いて求められてきた技術的課題を一挙に解決することを目的とする。すなわち、本発明の目的は、全体的なハウジングの大きさ及び１回のポンピン量を最小にした予圧式ディスペンサーを提供することにある。また、本発明の他の目的は、全体的なハウジングの大きさを最小化するのみならず、液体の流れを円滑にしてポンピンしやすくする予圧式ディスペンサーを提供することにある。
【０００６】
【課題を解決するための手段】
本発明者は、上記課題を解決すべく鋭意検討した結果、別途の下部シリンダーなしに流入突起部のみからなるハウジング内部下端部と、下降時に該流入突起部の外面にシリンダー部材の下端部が密着されるようになっている開閉部材を用い、さらに、開閉部材に上昇復元力を提供するスプリングが開閉部材のシリンダー外部に備えられるように構成することにより、全体的なハウジングの大きさを最小化するのみならず、液体の流れを円滑にしてポンピンしやすくする予圧式ディスペンサーを可能にして本発明を完成した。
【０００７】
すなわち、本発明の第１の発明によれば、一次圧縮によりハウジング内部空間の液体を予圧し、二次圧縮により加圧された液体を吐き出すディスペンサーであって、
ディスペンサー本体を容器の出口に密封された状態に締結するキャブ；
上記キャブに締結され液体の流れを誘導し、内部の下端に流入突起部が一体に形成されているハウジング；
上記ハウジングの内面に沿って上下往復運動をし、内部に垂直貫通路が形成されており、上記貫通路の下端入り口に下記開閉部材のロッド上端が密着されるように形成されているピストン部材；
上記貫通路の下端入り口に密着される円錐型ロッドが上部に形成されており、下降時に上記流入突起部の外面に沿って密着された状態で下降するシリンダーが一体に下部に形成されており、上記ハウジングに接する側面に数多くの誘導リブが形成されている開閉部材；及び、
上記ハウジングの内部下端部と上記誘導リブの間に備えられ、開閉部材に上昇復元力を提供するスプリング
を含めて構成されることを特徴とする予圧式ディスペンサーが提供される。
【０００８】
また、本発明の第２の発明によれば、上記ハウジングは、断面形状が円形であり、その内側面に沿って放射状に小さな軸状凹凸が形成されていることを特徴とする第１の発明に記載の予圧式ディスペンサーが提供される。
【０００９】
また、本発明の第３の発明によれば、上記ピストン部材は、貫通路の直径を一定にし、貫通路の下端入り口が下向に直径が広がる２段構造もしくは緩やかな傾斜構造からなることを特徴とする第１の発明に記載の予圧式ディスペンサーが提供される。
【００１０】
また、本発明の第４の発明によれば、上記開閉部材は、ポンピン時に流入突起部の外面に密着状態で下降できるようにシリンダーの下端内面に密封リップが形成されていることを特徴とする第１の発明に記載の予圧式ディスペンサーが提供される。
【００１１】
また、本発明の第５の発明によれば、１回のポンピン量が３０ないし７０ｍｃｌである第１の発明に記載の予圧式ディスペンサーが提供される。
【００１２】
【発明の実施の形態】
本発明の予圧式ディスペンサーは、一次圧縮によりハウジング内部空間の液体を予圧、二次圧縮により加圧された液体を吐き出すデイスンサーであって、
ディスペンサー本体を容器の出口に密封された状態に締結するキャブ；
上記キャブに締結され液体の流れを誘導し、内部の下端に流入突起部が一体に形成されているハウジング；
上記ハウジングの内面に沿って上下往復運動をし、内部に垂直貫通路が形成されており、上記貫通路の下端入り口に下記開閉部材のロッド上端が密着されるように形成されているピストン部材；
上記貫通路の下端入り口に密着される円錐型ロッドが上部に形成されており、下降時に上記流入突起部の外面に沿って密着された状態で下降するシリンダーが一体に下部に形成されており、上記ハウジングに接する側面に数多くの誘導リブが形成されている開閉部材；及び、
上記ハウジングの内部下端部と上記誘導リブの間に備えられ開閉部材に上昇復元力を提供するスプリングを含めて構成されている。
従って、本発明による予圧式ディスペンサーは、従来の予圧式ディスペンサーに比べて一つのシリンダーでも作動でき、全体的な形状をより小さく制作出来るので、１回のポンピン量が７０ｍｃｌ（０．０７ｃｃ）以下、例えば、３０〜７０ｍｃｌ程度の最小型の予圧ディスペンサーが提供できる。
【００１３】
本発明の予圧ディスペンサーの特徴は、全体の大きさを小型に制作できるようにし、流入突起部からハウジング内部空間へ液体を流入しやすくし、小型構造にも拘わらずポンピンをしやすく、ハウジング内部下端に別途のシリンダーが形成されておらず、流入突起部が従来の下部シリンダーの役割を代えてスプリングが開閉部材のシリンダーの外側に備えられる構造にしたことある。
【００１４】
上記ハウジングは、好ましくは断面形状が円形であり、その内側面に沿って放射状に小さい軸状凹凸が形成されている。該軸状凹凸は、ポンピン作業時にスプリングの位置を固定させることにより、スプリングがシリンダーの動きを妨害できないようにすると共に、液体をより流れやすくする機能を有している。
上記ピストン部材は、好ましくは貫通路の直径を一定にし、貫通路の下端入り口が下向に直径が広がる２段構造からなる。このような構造により最小大きさの予圧式ディスペンサーが制作できるようになる。
【００１５】
上記開閉部材は、好ましくはポンピン時に流入突起部の外面に密着された状態で下降できるようにシリンダーの下端内面に密封リップが形成されている。従って、流入突起部とシリンダーの接触面を最小化すると共に密封することができるので、ポンピンのためのボタンの圧縮過程が簡単になる。
【００１６】
以下に、本発明の実施例による図面を参照しながら発明の内容をより詳しく説明する。しかしながら、本発明の範囲は、図面に記載の範囲に限定されるものではない。
【００１７】
図１は、本発明の一実施例による予圧式ディスペンサーの垂直断面図を示したものである。
図１の予圧式ディスペンサー（１００）は、液体を含む容器（図示せず）に締結されるキャブ（２００）、キャブ（２００）に締結されて液体の流れを誘導する円筒形のハウジング（３００）、ハウジング（３００）の内面に沿って上下運動をするピストン部材（４００）、ピストン部材（４００）の下端に密着された状態で動く開閉部材（５００）、開閉部材（５００）に上向復元力を提供するスプリング（６００）、ピストン（４００）の上端に締結されるボタン（７００）等からなる。
【００１８】
ハウジング（３００）のより詳しい構造を図２を参照しながら説明する。容器から液体が流入する流入口（３１０）が下端に形成されており、流入口（３１０）に引き続いて流入突起部（３２０）が内部下端に突出されている。ハウジング（３００）の側面上部には細孔（３３０）が設けてあるが、この細孔（３３０）は、ハウジング（３００）がキャブ（２００：図１参照）に締結された状態でピストン部材（４００：図１参照）の上下運動時に、キャブ（２００）とピストン部材（４００）の間に形成された密閉空間の圧力変異を調節することにより、ポンピン作業を円滑にするために用いられる。スプリング（６００：図１参照）は、ハウジング内側面（３４０）と流入突起部（３２０）間に位置するが、ポンピン時スプリング（６００）の位置を固定してスプリング（６００）がシリンダー（５２０：図４参照）の動きを妨害できないようにし、より液体を流れやすくするため、ハウジング内側面（３４０）に沿って小さな軸状凹凸（３５０）が形成されている。軸状凹凸（３５０）は、断面形状が円形であるハウジング内側面（３４０）に沿って放射状に形成されている。
【００１９】
ピストン部材（４００）のより詳しい構造を、図３を参照して説明する。ピストン部材（４００）は、ボタン（７００：図１参照）に締結されるための上部の本体部（４１０）とハウジング（３００：図１參照）の内面に密着された状態で上下に動く下部のピストン部（４２０）からなる。本体部（４１０）の中心には、軸方向に貫通路（４３０）が形成され、ハウジング（３００）の内部空間（Ａ：図１参照）で加圧された液体が上昇する通路を形成する。ピストン部（４２０）は、ハウジング（３００）内面との密着面積があまりにも広がって、ポンピンしにくくなることを防ぐように、中間部（４２２）の直径が上端（４２４）及び下端（４２６）の直径より狭くなっている。貫通路（４３０）の下端入り口（４３２）は、開閉部材（５００：図１参照）のロッド（５１０：図１参照）が密着される部位であって、円錐形のロッド（５１０）による密着が容易で、開封時の液体の円滑な上向流れを誘導するために、下向に直径が広がる２段構造からなっている。場合によっては、上記２段構造は、緩やかな傾斜構造を構成している。
【００２０】
従来の予圧式ディスペンサーにおいては、貫通路は、狭い直径を有する上部と広い直径を有する下部とからなっており、直径が変わる部位に開閉部材のロッドが挿入された状態で密着される構造からなっている。上記の構造により、ポンピン量が７０ｍｃｌ以下である最小型ポンプを制作すれば、貫通路のある程度の位置まで挿入されたロッドにより、液体の上向流れが遮られ作動しにくい問題点を有している。
その反面、本発明の予圧式ディスペンサー（１００）は、貫通路（４３０）の直径が一定で、ロッド（５１０）が貫通路（４３０）に全く挿入されず、その下端入り口（４３２）を下向に直径が広がる２段構造や緩やかな傾斜構造にすることにより、小さいながらもポンピンが可能な構造を提供できる。
【００２１】
開閉部材（５００）のより詳しい構造を図４を参照しながら説明する。開閉部材（５００）は、ピストン部材（４００：図１参照）の貫通路下端入り口（４３２）に密着されるロッド（５１０）、ポンピン時にハウジング（３００）の流入入突部（３２０）と密着された状態でその外面に沿って下降するシリンダー（５２０）、ハウジング（３００）の内面に沿って動く誘導リブ（５３０）からなる。ロッド（５１０）は、円錐型構造であるので、貫通路下端入り口（４３２）を密閉しやすい。シリンダー（５２０）の下端内面には、密封リップ（５２２）が形成されおり、ポンピン時に流入突起部（３２０）の外面に沿って下降する部位である。誘導リブ（５３０）は、開閉部材（５００）がハウジング（３００）の内面に沿って上下運動できるように誘導する役割と共に液体の流れを妨害しないように、隣接する誘導リブ（５３０）間に離隔空間（５３２）を有する。一方、スプリング（６００：図１参照）は、誘導リブ（５３０）の下部に備えられ、開閉部材（５００）に上向復元力を提供することになる。
【００２２】
本発明による予圧式ディスペンサー（１００）の作動過程を下記に説明する。図１を参照して説明する。ボタン（７００）を圧縮しない状態において、ピストン部材（４００）の貫通路（４３０）は、スプリング（６００）により支えられた開閉部材（５００）の円錐型ロッド（５１０）により密閉されており、シリンダー（５２０）は、流入突起部（３２０）から離隔されている。
ここで、ボタン（７００）に圧縮力を印加すれば、図５のように、ピストン部材（４００）が下降しながら開閉部材（５００）を下降させ、スプリング（６００）を圧縮させる。開閉部材（５００）の下降によりシリンダー（５２０：より具体的には密封リップ（５２２））が流入突起部（３２０）の外面に密着される。ある程度の下降まで、貫通路（４３０）は円錐型ロッド（５１０）により密閉された状態が保持されるので、ハウジング内部空間（Ａ）は、密閉状態で加圧される。これを、予圧工程という。引き続く加圧により、ハウジング内部空間（Ａ）内の液体圧力がスプリング（６００）の弾性力を凌ぐ程度になると、図６のように、貫通路下端入り口（４３２）が円錐型ロッド（５１０）から離隔されながら、ハウジング内部空間（Ａ）の加圧された液体が離隔された隙に沿って貫通路（４３０）の方に上向きに移動することになる。これを、吐き出す工程という。瞬間的な吐き出す過程により上向きに移動する液体は、図５のように、ボタン（７００）の側面に備えられたノズル（７１０）を通じて噴射される。液体の吐き出しにより圧力が低下されたハウジング内部空間（Ａ）は、円錐型ロッド（５１０）が貫通路下端入り口（４３２）に直ちに密着され密閉状態になる。
【００２３】
ボタン（７００）に印加された圧縮力を除去すれば、スプリング（６００）の復元力により、開閉部材（５００）とピストン部材（４００）が共に上昇し、引き続く上昇により、密閉されたハウジング内部空間（Ａ）の圧力は低下するようになる。シリンダー（５２０）が流入突起部（３２０）から離隔される瞬間、低下された圧力を補うために、図１のように、流入口（３１０）を通じて容器内の液体が離隔された隙を通じてハウジング内部空間（Ａ）へ流入される。
【００２４】
本発明が属する分野における通常の知識があるものなら、上記内容に基づいて本発明の範囲内において様々な応用及び変形が可能である。
【００２５】
【発明の効果】
本発明による予圧式ディスペンサーは、構造的に１回のポンピン量が７０ｍｃｌ以下、例えば、３０ないし７０ｍｃｌの最小大きさのディスペンサーに制作でき、構成要素の構造を簡単化することにより、ポンピンしやすく、作動時の故障の恐れがより低くなるという長所を有する。
【図面の簡単な説明】
【図１】本発明の一実施例による予圧式ディスペンサー（１００）の垂直断面図である。
【図２】予圧式ディスペンサー（１００）に用いられるハウジング（３００）の平面図及び垂直断面図である。
【図３】予圧式ディスペンサー（１００）に用いられるピストン部材（４００）の垂直断面図である。
【図４】予圧式ディスペンサー（１００）に用いられる開閉部材（５００）の平面図及び垂直断面図である。
【図５】ポンピン時の予圧式ディスペンサー（１００）の垂直断面図である。
【図６】図５のＸ部位の拡大図である。
【符号の説明】
１００　予圧式ディスペンサー
２００　キャップ
３００　ハウジング
４００　ピストン部材
５００　開閉部材
６００　スプリング
７００　ボタン
【図１】
2004052741.tif 000003
【図２】
2004052741.tif 000004
【図３】
2004052741.tif 000005
【図４】
2004052741.tif 000006
【図５】
2004052741.tif 000007
【図６】
2004052741.tif 000008